(57)【要約】      （修正有）【課題】設計意図に反して、ユーザーの操作により機器分離が行われて、不要な事故の誘発を防止する。    【解決手段】  ベースボックス本体１１の上部に、内部にロック機構３０を有し上部に一対のレール２５とを有するトップボックス固定部２０を設け、トップボックス８０の下面には一対のレール２５がスライド嵌入可能な凹部８１を設け、その左右のスライド面にロック機構３０のロック用爪が嵌入なロック用穴を設ける。ロック機構３０を、フックと磁石を有し外部からの磁気によりフックが外れてロックを解除するトリガー機構と、トリガー機構により動かされるロック用爪を有するリンクとで構成する。トップボックスが結合している状態において機器の外部から内部にあるトリガー機構の磁石に対し磁石などにより反発力を与えると、トリガー機構が動作してロック用爪によるロックが解除される。【選択図】  図２
2006019539.tif 000002
【特許請求の範囲】
【請求項１】
第１の筐体と第２の筐体からなる機器の着脱装置であって、
前記第１筐体はその１つの面にガイドを有し、
前記第２筐体は前記ガイドに着脱自在な一対のスライドを有し、
前記第１、第２筐体のいずれか一方の筐体は、前記ガイドとスライドを結合するロック機構を有し、
前記ロック機構装置は、前記ガイドとスライドとの結合をロックのためのフックと、このフックを解除するための単極の磁石を有する始動板とを備え、
前記フックの解除は外部より前記始動板の磁石に反発力を発生させて行なうことを特徴とする機器の着脱装置。
【請求項２】
前記ガイドとスライドの結合は、スライドまたはガイドに設けた穴と、前記ロック機構の爪との係合により行なうことを特徴とする請求項１に記載の機器の着脱装置。
【請求項３】
前記ロック機構は、前記フックに係合するフック掛りとレバーとを有するレバーリンクと、このレバーリンクに連繋する前記爪を有するリンクとを有することを特徴とする請求項２に記載の機器の着脱装置。
【発明の詳細な説明】
【技術分野】
【０００１】
本発明は、機器の一部を主となる機器から分離する着脱方法がユーザーに分らないようにした機器の着脱装置に関する。
【背景技術】
【０００２】
従来、機器の一部を主となる機器から分離可能にした電子機器では、ロック機構の解除方法がユーザーに解放されていて、ユーザーの意思で着脱が可能であり、何の工具も必要なく、レバー操作で任意の時に装置の分離ができるようにしたものがある（例えば、特許文献１）。また、従来の機器の一部を主となる機器から分離可能にした電子機器で、ロックのための機構が無く、着脱はネジ行なうようにしたものもある（例えば、特許文献２）。
【特許文献１】特開平５−２３６３０５号公報
【特許文献２】実公昭６３−９９０７号公報
【発明の開示】
【発明が解決しようとする課題】
【０００３】
例えば、機器のアップ・グレードを考えた機器では、アップ・グレードの度に客先で機器の一部を主となる機器から分離してその内部の基板などを交換することが考えられる。その要件は、客先で交換操作を行うことも考え分離操作のスムーズ性、作業空間が充分確保でない状況下での作業があり工具の大きい、または長い治具を使うことは憚れる。また、特殊工具を使うにしても、操作部品が機器外部に露出していると、お客様の興味を引き何らかの操作を受け、設計意図に反して機器を分離が行われる可能性が高い。不要な事故の誘発原因になる事も考えられる。
【０００４】
本発明は、上記課題に鑑みてなされたものであり、機器の一部を主となる機器に結合するロック機構を設け、ユーザーに操作をさせないためロック機構解除のトリガーとなる部品を露出しないように機器内部に装填し、ロック解除操作の際に使用する工具も小さな磁石ですむようにした機器の着脱装置を提供することにある。
【課題を解決するための手段】
【０００５】
本発明は、第１の筐体と第２の筐体からなる機器の着脱装置であって、前記第１筐体はその１つの面にガイドを有し、前記第２筐体は前記ガイドに着脱自在な一対のスライドを有し、前記第１、第２筐体のいずれか一方の筐体は、前記ガイドとスライドを結合するロック機構を有し、前記ロック機構装置は、前記ガイドとスライドとの結合をロックのためのフックと、このフックを解除するための単極の磁石を有する始動板とを備え、前記フックの解除は外部より前記始動板の磁石に反発力を発生させて行なうものである。
【０００６】
本発明によれば、第１の筐体と第２の筐体が結合している状態において、機器内部にある始動板の磁石に外部より磁気を与えて磁石に反発力を発生させると、始動板はこの磁石の反発力により動作してフックを解除するので、ガイドとスライドとの結合しているロックが外れて第１の筐体と第２の筐体は分離可能となる。子の装置によれば、この分離方法を知らされていないユーザーは、第１の筐体と第２の筐体を分離ことができないので、不要な事故の誘発を防止できる。
【発明の効果】
【０００７】
第１の筐体と第２の筐体の結合をロックするロック機構の始動板が機器外部に露出していないため、安易にお客様に触られることなく、サービス性が向上し、かつデザイン性の向上につながる。ロック解除のとき磁石の反発力を利用しているので、特別な工具が要らない。反発力の強弱は工具とする磁石の磁力によるので、磁力の選定で調節でき、機器内の磁石の保持力だけによらないで構成できる。結合する場合は、特別な工具をまったく用いず嵌め込むだけで完了する。フックとリンクの間に始動板があるので確実に離脱動作できる。モーター、ソレノイドなど電気駆動装置を用いないので、電源容量の軽減、ノイズ発生なし、容積確保に有利になる。
【発明を実施するための最良の形態】
【０００８】
本発明の実施形態に係る機器の着脱装置について図を用いて説明する。図１に本発明が適用されるトップボックスを有するビデオ信号処理装置（以下、機器）を後方から見た構成説明図を、図２にこの機器の分解斜視図を、図３にトップボックスの下面図を、図４、図５にロック機構の結合状態時における平面図及び斜面図を、図６、図７にロック機構の非結合状態時にける平面図及び斜面図を、図８にトリガー機構要部の斜視図を、図９にロック部の斜視図を示す。
【０００９】
図1、図２について、機器１は、ベースボックス（主となる機器）１０とトップボックス（機器の一部）８０とからなり、ベースボックス１０は、ベースボックス本体１１とその上に設けられているトップボックス固定部２０とから構成されている。ベースボックス本体１１とトップボックス８０は内部に信号処理の基板を内蔵している(図示省略)。そしてベースボックス１０とトップボックス８０は、結合された状態でその間にあるコネクターで電気的に結合する構造を取っている(図示省略)。
【００１０】
上記トップボックス固定部２０は、後部にブロック取付け用の後端が開放した凹部２１ａを有する板２１と、ロック機構３０を備えたブロック２２とから構成されている。板２１の凹部２１ａには、ベースボックス１０内の基板から上記図示省略のコネクターへの配線を挿通する穴２１ｂが設けられている。ブロック２２は、アルミ材など非磁性体材料からなり、板２１の凹部２１ａに嵌合する基部２３と、基部２３の左右の中央部に突出した中央膨出部２４と、中央膨出部２４の両側面から前方に延びた一対のレール２５と中央膨出部２４の基部から前方に突出した薄いレール保持部２６とからなり、ブロック２２の裏面にはロック機構３０を取付けるための凹部２９（２６、２７）が形成されている（図４）。中央膨出部２４の前面２４ａにはボックス１１，８０を結合した状態で互いの基板を電気的に結合するする上記コネクターの一方のコンタクトが設けられている（図示省略）。図中、２８はコネクターへの配線用凹部を示す。
【００１１】
図２、図３について、トップボックス８０は、下面に、ブロック２２の中央膨出部２４、一対のレール２５およびレール保持部２６に対し前方から嵌合し得るように、これらと略同形状の凹部８１が形成されており、トップボックス８０の着脱は前方からのみ可能となっている。また、凹部８１におけるブロック２２の中央膨出部２４の前面２４ａに対向する面８２には、上記コネクターの他方のコンタクトが設けられている（図示省略）。また、凹部８１における一対のレール２５が嵌合しスライドする一対のスライド面８３の後端側下部８４には、結合時にロック機構３０のロック用爪７８が入るロック用穴８５と、ロック用穴８５と後端との間に形成された所定の位置に後退しているロック用爪７８に対するスライド面８３の移動を可能とする浅い溝８６が形成されている（図４、図９）。
【００１２】
図４〜図９について、上記ロック機構３０は、トリガー機構３１とこれに連繋動作するロック用爪７８を有するパンタグラフ状のリンク部４２から構成されている。トリガー機構３１は、凹部２６に設けられた支柱４９により回動可能に支持されたレバーリンク４１と、レバーリンク４１を付勢するためのレバーリンク４１の端部４２ｂに一端が取付けられた引張りばね４８と、回動しようとするレバーリンク４１を所定位置に係止するためのフック板５１と、フック板５１によるレバーリンク４１の係止を外すための始動板６１とから構成されている。
【００１３】
上記レバーリンク４１は、リンク本体４２とリンク本体４２の端部４２ｂに取付けられた調整板４３とからなり、リンク本体４２の端部４２ａには、レバー４４と、フック板５１のフック５４と係合しレバーリンク４１を所定の位置に係止可能なフック係合部４５が形成されている。レバーリンク４１のレバー４４は、断面コ字状に折り曲げられて形成されレバーリンク４１がフック板５１により係止された状態において、レバー５４の指掛け部４４ａがブロック２２の後面に形成された浅い切り欠部２３ｅに位置し、指掛け部４４ａの表面がブロック２２の後面と略面一となるように形成されている。レバーリンク４１のフック係合部４５は、フック掛り部４５ａと始動板６１のフック引外し部６４を所定の方向に案内するガイド部５５ｂを有する。レバーリンク４１の接続されている調整板４３には、リンク部４２の可動軸７６を移動させるための長手方向の長溝４３ａが設けられている。
【００１４】
上記フック板５１は、ばね板部材からなり、取付け部５２と可動部５３の中間位置に形成されたテーパの付いたフック５４を有し、取付け部６２はブロック２２の下面２３ｂに設けられた浅い溝部(図示省略)に取付けられている。
【００１５】
上記始動板６１は、ばね板部材からなり、取付け部６２と、撓み易いように幅が狭く形成されたアーム６３と、その可動端に形成されたフック引外し部６４と、可動端の後面に取付けられた円盤状のマグネット６５を有し、フック引外し部６４の上面にはレバーリンク４１のガイド部４５ｂとの摩擦を少なくするための突起６４ａが形成されている。始動板６１はブロック２２の後縁２３ｃの内面に沿うように取付けられており、フック引外し部６４の下面がフック板５１の上面に接し上面の突起６４ａがレバーリンク４１のガイド部４５ｂの下面に接触するようにしてある。トップボックスの結合状態(図４)または分離状態（図６）において、始動板６１はマグネット６５がブロック２２の後縁２３ｃの内側に形成されているマグネット用凹部２３ｄ内に位置しており、ブロック２２の後面とマグネット６５との間隔は外部からの磁気がマグネット６５に作用し易いように極めて小さくしてある。
【００１６】
上記リンク部４２は、ブロック２２の中央膨出部２４の下部に位置する深い凹部２７に設けれたリンク取付け部材７１(図示省略)の左右に設けられた各軸７２に一端が連結されたロック用爪７８を有する断面コ字状の各リンク７３と、その可動端に軸７４を介して連結された断面コ字状の各一対リンク７５と、リンク７５の他端に連結された可動軸７６とから構成されている。可動軸７４、７６の各一端は凹部３２に設けられている案内溝２７ａ、２７ｂ内を動き、可動軸７４、７６の他端は、凹部２７内の周辺部に形成されている段部に取付けられた軸案内板７７（図示省略）に設けられている案内溝７７ａ、７７ｂ内を動くようにしてある。
【００１７】
以下に、トップボックス８０の着脱の動作について説明をする。まず、分離していたトップボックス８０をベースボックス１０に装着するときの動作について説明する。トップボックス８０がベースボックス１０から分離されている状態では、ロック機構３０は図６に示す状態となっており、レバーリンク４１のレバー４４がベースボックス１０の後部から後方に突出している。このときレバーリンク４１の長溝４３ａで移動されるリンク部４２の可動軸７６は最も前方に移動した状態にあり、リンク部４２のリンク７３の先端に設けられているロック用爪７８は図示のようにスライド面８３近くまで退いている。しかして、レバーリンク４１のレバー４４がブロック２２より後方に突出していることでロック用爪７８が所定の位置に退いていることが確認できる。
【００１８】
この状態でトップボックス８０の後部下面をベースボックス１０の後部上面に載せてトップボックス８０の下面の凹部８１にトップボックス固定部２０の一対のレール２５に嵌入するようにしてトップボックス８０を後方に押し、凹部８１のスライド面８２をレール２５に沿わせて移動させる。トップボックス８０のスライド面８２の後端部には溝８６およびロック用穴８５が形成されているので、トップボックス８０は上記所定の位置に退いているロック用爪７８に妨げられることなく移動し、ロック用穴８５の前部壁面８５ａがロック用爪７８に当ると、ロック用爪７８は壁面８５ａにより押されて後方に移動すると共に、ロック用爪７８のあるリンク８３の回動によりロック用爪７８は起き上がりロック用穴８５に入り込んで行きロック状態に近づく。トップボックス８０のスライド面８２がレール２５と完全に嵌合してもレバーリンク４１のフック掛り部４５ａはフック５４に係合しないので、トップボックス８０はロック状態とならない。
【００１９】
この状態において、トップボックス８０をロックするため、レバーリンク４１のレバー４４を押す。レバーリンク４１は引張りばね４８に抗して回動してレバーリンク４１のフック掛り部４５ａはフック５４のテーパ部を摺り移動しテーパ部から落ちてフック５４に係合し図４に示す状態となる。このレバーリンク４１の回動によりレバーリンク４１と連繋するリンク部４２の可動軸７６を後方に移動させてロック用爪７８を有する一対のリンク７３を回動させロック用爪７８をロック用穴８５の前壁８５ａ側から後壁８３ｂ側に移動させてロック状態としてトップボックス８０をベースボックス１０に固定する。
【００２０】
この状態でトップボックス８０を前方へ移動させようとしてもレバーリンク４１がフック５４に係合しているため、ロック用爪７８を有する一対のリンク７３は回動しないので、ロックが解除されることがない。このとき、フック板５１はバネ板部材で構成されているので、レバーリンク４１のフック掛り部４５ａがテーパ５４ａ上を移動する時に容易に撓み負担をかけずに動き、フック掛り部４５ａがテーパ５４ａを超えた時フック板５１の戻り力でフック５４がフック掛り部４５ａに容易に掛かることができる。
【００２１】
次に、上記結合された状態からトップボックス８０を離脱させる動作について説明する。機器１の外部から始動板６１のマグネット６５のある位置に向けてマグネット６５に反発力を発生させる磁力を与える。例えば、マグネット６５と同極の磁石Ｍ（図示省略）を機器１の外部からマグネット６５に対峙させる。マグネット３５は磁石Ｍとの反発力を始動板６１に伝える。これにより始動板６１はブロック２２の凹部２６内で反り始動板６１のフック引外し部６４はレバーリンク４１のフック掛り部４５ａに移動する。フック５４にはテーパが付いているので、フックの掛り部４５ａを解除する方向に力が掛り、フック板５１が反ってフック５４がレバーリンク４１のフック掛り部４５ａから外れる。始動板６１のフック引外し部６４はフック板５１とレバーリンク４１のガイド部４５ｂの狭い隙間にあり、移動してもその中間から抜け出すことはないので、フック引外し部６４の上記動きは全てフック５４の解放力になる。レバーリンク４１は、下端にテンションを掛ける引張りばね４８が施してあり、解放方向に微弱な力が掛かるようになっているため、フック５４が外れるとレバーリンク４１は解除方向に回動し始め、マグネット６５の初期反発磁力が衰え始動板６１が定常位置に戻ろうと定常位置に戻りかけたとしても逆方向に動くことはない。
【００２２】
フック５４が外れると引張りばね４８で付勢されているレバーリンク４１が回動してレバーリンク４１の指掛け部４４ａがブロック２２の後面から外方に少し飛び出す。そこで、指掛け部４４ａを外方に引いてレバーリンク４１を解除方向に大きく回動させる。これによりレバーリンク４１の長溝４３ａに係合しているリンク部４２の可動軸７６が前方に移動し、リンク部４２のリンク７３の可動端が回動するので、リンク７３の可動端にあるロック用爪７８がロック用穴８５の前壁８５ａを前方に押すようにして回動して穴８５から抜け出す。これによりトップボックス８０は前方に引いてベースボックスから外すことが可能になる。
【図面の簡単な説明】
【００２３】
【図１】本発明が適用される機器を後方から見た構成説明図。
【図２】機器の分解斜視図。
【図３】トップボックスの下面図。
【図４】ロック機構の結合状態時における平面図。
【図５】ロック機構の結合状態時における斜面図。
【図６】ロック機構の非結合状態時における平面図。
【図７】ロック機構の非結合状態時における斜面図。
【図８】トリガー機構要部の斜視図。
【図９】ロック部の斜視図。
【符号の説明】
【００２４】
１…機器、  １０…ベースボックス、  １１…ベースボックス本体、  ２０…トップボックス固定部、  ２２…ロック機構を備えたブロック、  ２５…レール、  ３０…ロック機構、  ３１…トリガー機構、  ３２…リンク部、  ４１…レバーリンク、  ４４…レバー、  ４５…フック係合部、  ５１…フック板、  ５４…フック、  ６１…始動板、  ６４フック引き離し部…、  ７３…ロック用爪を有するリンク、  ７８…ロック用爪、  ８０…トップボックス、  ８３…レールがスライドするスライド面、  ８５…ロック用穴、  ８６…浅い溝。
【図１】
2006019539.tif 000003
【図２】
2006019539.tif 000004
【図３】
2006019539.tif 000005
【図４】
2006019539.tif 000006
【図５】
2006019539.tif 000007
【図６】
2006019539.tif 000008
【図７】
2006019539.tif 000009
【図８】
2006019539.tif 000010
【図９】
2006019539.tif 000011